(57)【特許請求の範囲】
【請求項１】
目地部を介して設けられた左右の建物の一方の建物の目地部側の天井材の先端部より上部が後方へ傾斜するように、該一方の建物躯体に取付けられた傾斜プレートと、前記天井材と対応する部位の他方の建物の目地部側の壁面に、該天井材間の天井目地部を覆い、かつ先端部が上方へ回動するように取付けられ、かつ先端部が小幅寸法となる台形状の目地天井カバーと、この目地天井カバーをほぼ水平状態に保持でき、かつ該目地天井カバーの上方への回動が可能な目地天井カバー吊り下げ杆と、前記目地天井カバーの両端部の天井目地部を覆う、該目地天井カバーの前記他方の建物側の両端部に重なるように後端部が枢支された両角部天井カバーと、この両角部天井カバーの先端部が前記一方の建物の躯体によって押し圧されると、前記目地天井カバーとの重なりが大きくなるように移動できるように、該目地天井カバーに係止する係止手段とからなることを特徴とする天井用目地装置。
【請求項２】
傾斜プレートは一方の建物の天井部材に対して４５度以下に設定されているとともに、目地天井カバーの先端部に、該目地天井カバーの先端部が上方へ回動する時に傾斜プレート上を移動する移動部材が取付けられていることを特徴とする請求項1記載の天井用目地装置。
【発明の詳細な説明】
【技術分野】
【０００１】
本発明は目地部を介して設けられた左右の建物の天井部分の目地部を覆う天井用目地装置に関する。
【背景技術】
【０００２】
従来の天井用目地装置は天井目地部を覆う目地天井カバーを、目地部が地震で狭くなると押し上げ杆で目地天井カバーを上方へ持ち上げ、天井材との衝突を防止するものが使用されている。
【０００３】
しかしながら、このような天井用目地装置は目地天井カバーの先端部側を押し上げ杆に係合できるようにするとともに、後端部を上下移動可能に取付けなければならず、構造が複雑になり、かつ目地天井カバーを目地部が狭くなる時に、目地天井カバーの先端部と後端部とに加わる自重のバランスで上方へ移動させるため、スムーズに移動させることができないとともに、左右の建物が異なる前後方向に揺れ動いた場合、目地天井カバーの遊端部側の両端部が建物の壁面によって押され、損傷してしまうという欠点があった。
【先行技術文献】
【特許文献】
【０００４】
【特許文献１】特許第３６８８５１０号公報
【発明の概要】
【発明が解決しようとする課題】
【０００５】
本発明は以上のような従来の欠点に鑑み、目地部が狭くなるような地震の揺れ動き時には目地天井カバーの遊端部である先端部を上方へ案内して、確実で、かつスムーズに目地天井カバーを回動させることができるとともに、異なる前後方向に左右の建物が揺れ動いた場合にも、目地天井カバーの遊端部側の両端部に両角部天井カバーを重ならせて、その揺れ動きを目地天井カバーを損傷することなく吸収でき、目地天井カバーの先端部近傍部位の天井材にでも安全にダウンライト等を設置することができる天井用目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は目地部を介して設けられた左右の建物の一方の建物の目地部側の天井材の先端部より上部が後方へ傾斜するように、該一方の建物躯体に取付けられた傾斜プレートと、前記天井材と対応する部位の他方の建物の目地部側の壁面に、該天井材間の天井目地部を覆い、かつ先端部が上方へ回動するように取付けられ、かつ先端部が小幅寸法となる台形状の目地天井カバーと、この目地天井カバーをほぼ水平状態に保持でき、かつ該目地天井カバーの上方への回動が可能な目地天井カバー吊り下げ杆と、前記目地天井カバーの両端部の天井目地部を覆う、該目地天井カバーの前記他方の建物側の両端部に重なるように後端部が枢支された両角部天井カバーと、この両角部天井カバーの先端部が前記一方の建物の躯体によって押し圧されると、前記目地天井カバーとの重なりが大きくなるように移動できるように、該目地天井カバーに係止する係止手段とで天井用目地装置を構成している。
【発明の効果】
【０００８】
以上の説明から明らかなように、本発明にあっては次に列挙する効果が得られる。
（１）請求項1により、地震で目地部が狭くなると、目地天井カバーの先端部を傾斜プレートに沿って上方へ回動させることができる。
したがって、目地天井カバーをスムーズに先端部を上方へ回動させることができるとともに、該上方への回動により、目地天井カバーの損傷を効率よく防止することができる。  
（２）前記（１） によって、地震で一方の建物と他方の建物が異なる前後方向に揺れ動いた場合に、両角部天井カバーを目地天井カバーの遊端部側の一方の建物の側壁によって押されて、該目地天井カバーに重なるように移動させることができる。
したがって、目地天井カバーの損傷を効率よく防止することができる。
（３）前記（１） により、目地天井カバーをほぼ水平状態に保持でき、かつ目地天井カバーの上方への回動が可能な目地天井カバー吊り下げ杆を用いているので、目地天井カバーが上方へ回動しても、目地天井カバーの自重によって自動的に元の状態へ戻すことができる。
（４）前記（１）により、両角部天井カバーは係止手段によって目地天井カバーに係止されているため、隙間が生じて見苦しくなるのを防止できるとともに、地震で異なる前後方向に揺れ動いた場合には、係止手段の係止状態が解除されて、両角部天井カバーの回動でできる。
また、地震の揺れ動きが停止すると、簡単に移動した両角部天井カバーを元の状態へ移動させ、係止手段で係止させることで、元の状態へ簡単に戻すことができる。
（５）前記（１） によって、一方の建物の目地部側の天井材の先端部より上部が後方へ傾斜する傾斜プレートを用いているので、一方の建物の目地部側の天井材の近傍にダウンライト等を取付けても、目地天井カバーの動作に関係なく、安全に取付けることができる。
（６）請求項２も前記（１）〜（５）と同様な効果が得られるとともに、目地天井カバーをよりスムーズに上方へ回動させることができる。
【図面の簡単な説明】
【０００９】
【図１】本発明を実施するための第１の形態の平面図。
【図２】図1の２−２線に沿う断面図。
【図３】本発明を実施するための第1の形態の底面図。
【図４】図２の４−４線に沿う断面図。
【図５】本発明を実施するための第１の形態の目地天井カバーの説明図。
【図６】本発明を実施するための第１の形態の角部天井カバーの説明図。
【図７】本発明を実施するための第１の形態の目地部が狭くなるように揺れ動いた動作説明図。
【図８】本発明を実施するための第１の形態の目地部が広くなるように揺れ動いた動作説明図。
【図９】本発明を実施するための第１の形態の異なる前後方向に揺れ動いた動作説明図。
【図１０】本発明を実施するための第２の形態の平面図。
【図１１】図１０の１１−１１線に沿う断面図。
【図１２】図１０の１２−１２線に沿う断面図。
【図１３】本発明を実施するための第３の形態の平面図。
【図１４】図１３の１４−１４線に沿う断面図。
【図１５】図１３の１５−１５線に沿う断面図。
【発明を実施するための形態】
【００１０】
以下、図面に示す本発明を実施するための形態により、本発明を詳細に説明する。
【００１１】
図１ないし図９に示す本発明を実施するための第１の形態において、１は目地部２を介して設けられた左右の建物３、３の天井部分の目地部を覆う本発明の天井用目地装置で、この天井用目地装置１は一方の建物３の天井躯体３ａに複数個の吊り束や吊りボルト等の吊り具４によって取付けられた天井材６の目地部側の先端部より上部が後方へほぼ４５度傾斜するように、該一方の建物３の天井躯体３ａや前記吊り具４に取付けられた傾斜プレート７と、前記天井材６と対応する部位の他方の建物３の目地部側の壁面８に、該天井材６間の天井目地部を覆い、かつ先端部が上方へ回動するようにヒンジ部材９で取付けられた先端部が小幅寸法となる台形状の目地天井カバー１０と、この目地天井カバー１０をほぼ水平状態に保持でき、かつ該天井目地カバー１０の上方への回動が可能な複数個のワイヤーやチェーン、本実施の形態ではチェーン１１を用いた目地天井カバー吊り下げ杆１２と、前記目地天井カバー１０の先端部に取付けられた、該目地天井カバー１０の先端部が先方へ回動する時に、前記傾斜プレート７上を移動する移動部材１３と、前記目地天井カバー１０の両端部の天井目地部２を覆う該天井目地カバー１０の前記他方の建物３側の両端部に重なるように後端部が枢支ピン１４、１４で枢支されたほぼ三角形状の両角部天井カバー１５、１５と、この両角部天井カバー１５、１５の先端部が前記一方の建物３の側壁等の躯体３ｂ、３ｂによって押し圧されると、前記目地天井カバー１０との重なりが大きくなるように移動できるように、該目地天井カバー１０に係止する複数個の磁石１６、１６、１６を用いた係止手段１７、１７と、前記天井部材６の目地部２側に設けたダウンライト１８とで構成されている。
【００１２】
前記移動部材１３は目地天井カバー１０が目地天井カバー吊り下げ杆１２で吊り下げられ、ほぼ水平状態になっている状態で、先端部に取付けられたローラ１９が前記目地天井カバー１０を取付けているヒンジ部材９の支点部位よりも上部の位置の前記傾斜プレート７に支持され、該傾斜プレート７を前記ローラ１９が上方へ少し移動した状態で、前記目地天井カバー１０の先端部の下部に位置する部分の曲面部２０が傾斜プレート７に当接するように形成されている。
【００１３】
前記目地天井カバー１０は図５に示すように、バー状の角材を用いて形成された後部バー部材２１、この後部バー部材２１より短い前部バー部材２２、この前部バー部材２２と前記後部バー部材２１とが所定間隔離間した平行状態となるように固定された複数本の接続バー部材２３とからなるフレーム２４と、このフレーム２４に溶接や複数本のビス等で固定された台形状で後端部が前記後部バー部材２１に固定できるように直角に折り曲げられ、先端部が前記前部バー部材２２より突出し、前記傾斜プレート７と面接触できるように傾斜面２５に形成された金属材製の目地天井カバー本体２６とで構成されている。
【００１４】
前記両角部天井カバー１５、１５は図６に示すようにほぼ三角形状で、後端部が円弧状に形成された金属材製の角部天井カバー本体２７と、この角部天井カバー本体２７の後端部の円弧の中心部に形成された枢支ピン挿入孔２８と、前記角部天井カバー本体２７の外側端部を下方へ折り曲げて形成した押し圧片２９と、前記角部天井カバー本体２７の前記目地天井カバー１０と重なっている部分に複数個の凹部３０、３０を形成して設けた磁石１６、１６とで構成されている。
【００１５】
上記構成の天井用目地装置１は、通常時には図１ないし図３に示すように左右の建物３、３の天井目地部２は天井材６、目地天井カバー１０および両角部天井カバー１５、１５で覆われた状態となっている。
【００１６】
地震で左右の建物３、３が揺れ動き、目地部２が狭くなると、図７に示すように目地天井カバー１０の先端部が一方の建物３方向へ押し付けられた状態で、ヒンジ部材９の支点部位よりも上部にローラ１９が位置しているため、目地天井カバー１０はスムーズに先端部が上方へ回動し、かつ移動部材１３の先端部のローラ１９は傾斜プレート７に当接した状態でスムーズに上方へ移動した後、曲面部２０が傾斜プレート７に当接して上方へスライド移動して、その揺れ動きを吸収する。
【００１７】
この時、傾斜プレート７とは目地天井カバー１０の先端部に取付けられた移動部材１３のローラ１９と曲面部２０とが当接するだけであるので、目で見える部分の目地天井カバー１０にはキズが付いたり、損傷するのを確実に防止できる。
【００１８】
揺れ動きが停止し、元の状態へ戻ると、目地天井カバー１０の自重によって、目地天井カバー１０がほぼ水平状態となった所で目地天井カバー吊り下げ杆１２で停止されるため、該目地天井カバー１０の先端部と天井材６の先端部との間の隙間を覆った、元の状態へ自動的に戻る。
【００１９】
地震で左右の建物３、３が揺れ動き、目地部２が広くなると、図８に示すように目地天井カバー１０は目地天井カバー吊り下げ杆１２によってほぼ水平状態を保って、目地天井カバー１０は一方の建物３より離れるように他方の建物３と一体になって移動し、その揺れ動きを吸収するとともに、揺れ動きが停止すると自動的に元の状態へ戻る。
【００２０】
地震により左右の建物３、３が異なる前後方向に揺れ動いた場合、図９に示すように傾斜プレート７と目地天井カバー１０とが異なる前後方向に移動するとともに、一方の建物３の側壁等の躯体３ｂによって押し圧されると、係止手段１７の係止力に抗して角部天井カバー１５を枢支ピン１４を支点に目地天井カバー１０との重なりが大きくなるようにスライド移動して、その揺れ動きを吸収する。
【００２１】
この時、傾斜プレート７と移動部材１３のローラ１９とが当接しても、当接部分がローラ１９部分であるため、スムーズに前後方向にスライド移動させることができる。
【００２２】
このような揺れ動きが停止すると、作業者が両角部天井カバー１５、１５の押し圧片２９を磁石１６、１６の吸着力に抗して外方へ移動させて、元の位置へ戻す簡単な作業で、元の状態にできる。
【００２３】
[発明を実施するための異なる形態]
次に、図１０ないし図１５に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２４】
図１０ないし図１２に示す本発明を実施するための第２の形態において、前記本発明を実施するための第１の形態と主に異なる点は、下端部より上端部が外方に突出する端部３２、３２が形成された目地天井カバー１０Ａと、この目地天井カバー１０Ａの端部３２、３２と面接触する傾斜面３３、３３を有する両角部天井カバー１５Ａ、１５Ａと、この両角部天井カバー１５Ａ、１５Ａを一方の建物３の側壁等の躯体３ｂに押し圧されると、前記目地天井カバー１０Ａの端部の下部へ押し込まれるように、該目地天井カバー１０Ａの他方の建物３側の後部バー部材２１に常時上方へ付勢するように付勢スプリング３４を介して取付けられた枢支ピン１４とを用いた点で、このように構成した天井用目地装置１Ａにしても前記本発明を実施するための第１の形態と同様な作用効果が得られる。
【００２５】
図１３ないし図１５に示す本発明を実施するための第３の形態において、前記本発明を実施するための第１の形態と主に異なる点は、フレームを使用しない板状の金属材を用いるとともに、ヒンジ部材９の枢支部位よりも上方に傾斜プレート７と当接する当接部３５を形成した目地天井カバー１０Ｂを用いた点で、このような目地天井カバー１０Ｂを用いて構成した天井用目地装置１Ｂにしても、前記本発明を実施するための第１の形態と同様な作用効果が得られる。
【産業上の利用可能性】
【００２６】
本発明は目地部を介して設けられた左右の建物の天井目地部を覆う天井用目地装置を製造する産業で利用される。
【符号の説明】
【００２７】
１、１Ａ、１Ｂ：天井用目地装置、
２：目地部、        ３：建物、
４：吊り具、          
６：天井材、        ７：傾斜プレート、
８：壁面、        ９：ヒンジ部材、
１０、１０Ａ、１０Ｂ：目地天井カバー、
１１：チェーン、      
１２：目地天井カバー吊り下げ杆、
１３：移動部材、      １４：枢支ピン、
１５、１５Ａ：角部天井カバー、  １６：磁石、
１７：係止手段、      １８：ダウンライト、
１９：ローラ、      ２０：曲面部、
２１：後部バー部材、    ２２：前部バー部材、
２３：接続バー部材、    ２４：フレーム、
２５：傾斜面、      ２６：目地天井カバー本体、
２７：角部天井カバー本体、  ２８：枢支ピン挿入孔、
２９：押し圧片、      ３０：凹部、
３２：端部、        ３３：傾斜面、
３４：付勢スプリング、    ３５：当接部。
【図１】
0005250587.tif 000002
【図２】
0005250587.tif 000003
【図３】
0005250587.tif 000004
【図４】
0005250587.tif 000005
【図５】
0005250587.tif 000006
【図６】
0005250587.tif 000007
【図７】
0005250587.tif 000008
【図８】
0005250587.tif 000009
【図９】
0005250587.tif 000010
【図１０】
0005250587.tif 000011
【図１１】
0005250587.tif 000012
【図１２】
0005250587.tif 000013
【図１３】
0005250587.tif 000014
【図１４】
0005250587.tif 000015
【図１５】
0005250587.tif 000016